(57)【要約】【課題】  利用者に一層の感興を催させる採点機能を備えた音楽再生装置を提供する。【解決手段】  カラオケ演奏曲の出力に伴って入力される音声情報に応じて得点を採点する採点手段５０と、予め設定された複数の基準のうちからその採点手段５０による採点の基準を少なくとも１つ無作為に決定する採点基準決定手段５２とを、含むことから、採点の基準が毎回のように異なるものとされ、斯かる採点を行うカラオケ装置１０が恰も気まぐれな人間であるかの如き印象を利用者に与えることができる。【選択図】  図２
2005195852.tif 000002
【特許請求の範囲】
【請求項１】
複数の演奏曲のうちから選択された所望の演奏曲を出力させると共に、入力された音声情報を増幅して出力し得る音楽再生装置であって、
該演奏曲の出力に伴って入力される音声情報に応じて得点を採点する採点手段と、
予め設定された複数の基準のうちから該採点手段による採点の基準を少なくとも１つ無作為に決定する採点基準決定手段と
を、含むことを特徴とする音楽再生装置。
【請求項２】
前記採点基準決定手段は、音程、テンポ、及び音量のうちから前記採点手段による採点の基準を少なくとも１つ無作為に決定するものである請求項１の音楽再生装置。
【請求項３】
前記採点手段による採点のタイミングを無作為に決定する採点タイミング決定手段を含むものである請求項１又は２の音楽再生装置。
【請求項４】
前記採点手段による採点結果に応じて前記演奏曲のトラック数を変更するトラック数変更手段を含むものである請求項１から３の何れかの音楽再生装置。
【請求項５】
前記採点手段による採点結果に応じて前記演奏曲の音量を変更する音量変更手段を含むものである請求項１から４の何れかの音楽再生装置。
【請求項６】
前記演奏曲の出力に伴って表示される映像を前記採点手段による採点結果に応じて変更する映像変更手段を含むものである請求項１から５の何れかの音楽再生装置。
【請求項７】
前記採点手段による採点結果に応じて前記演奏曲の演奏を中途で停止させる演奏停止手段を含むものである請求項１から６の何れかの音楽再生装置。
【発明の詳細な説明】
【技術分野】
【０００１】
本発明は、例えば、カラオケボックスで使用されるカラオケ装置等の音楽再生装置に関し、特に、採点機能の改良に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報を含む映像をその出力に同期して画面に表示させることで、所望の歌のカラオケ演奏を楽しむことができる。
【０００３】
ところで、近年普及しているカラオケ装置には、上述のような音楽再生装置としての機能のみならず、マイクから入力される音声情報に基づいて歌唱力を採点する採点機能を備えたものがある。例えば、特許文献１に記載されたカラオケ装置がそれである。斯かるカラオケ装置によれば、音程、テンポ、音量等を基準としてマイクから入力される音声情報とカラオケ演奏曲の演奏情報とを比較することで、その入力される音声情報に応じて歌唱の評価を採点することができる。
【０００４】
【特許文献１】特開平９−１０１７９４号公報
【０００５】
しかし、近年においては、採点機能を備えたカラオケ装置が広く普及したことにより、前述した従来の採点機能は特に目新しいものではなくなった。更には、その採点機能が音程、テンポ、音量等を基準として採点するものであることが広く知られるようになり、高得点を出すための選曲や歌い方が確立する等、その娯楽性は低下する傾向となるに至った。そこで、本発明者は、娯楽性に富み利用者に一層の感興を催させる新たな採点機能を備えた音楽再生装置を開発すべく、利用者の動向を鋭意研究してきた。
【発明の開示】
【発明が解決しようとする課題】
【０００６】
本発明は、以上の事情を背景として為されたものであり、その目的とするところは、利用者に一層の感興を催させる採点機能を備えた音楽再生装置を提供することにある。
【課題を解決するための手段】
【０００７】
斯かる目的を達成するために、本発明の要旨とするところは、複数の演奏曲のうちから選択された所望の演奏曲を出力させると共に、入力された音声情報を増幅して出力し得る音楽再生装置であって、その演奏曲の出力に伴って入力される音声情報に応じて得点を採点する採点手段と、予め設定された複数の基準のうちからその採点手段による採点の基準を少なくとも１つ無作為に決定する採点基準決定手段とを、含むことを特徴とするものである。
【発明の効果】
【０００８】
このようにすれば、前記演奏曲の出力に伴って入力される音声情報に応じて得点を採点する採点手段と、予め設定された複数の基準のうちからその採点手段による採点の基準を少なくとも１つ無作為に決定する採点基準決定手段とを、含むことから、採点の基準が毎回のように異なるものとされ、斯かる採点を行う音楽再生装置が恰も気まぐれな人間であるかの如き印象を利用者に与えることができる。すなわち、利用者に一層の感興を催させる音楽再生装置を提供することができる。
【０００９】
ここで、好適には、前記採点基準決定手段は、音程、テンポ、及び音量のうちから前記採点手段による採点の基準を少なくとも１つ無作為に決定するものである。このようにすれば、実用的な態様で利用者に一層の感興を催させる採点を行うことができるという利点がある。
【００１０】
また、好適には、前記採点手段による採点のタイミングを無作為に決定する採点タイミング決定手段を含むものである。このようにすれば、採点のタイミングが毎回のように異なるものとされ、斯かる採点を行う音楽再生装置が恰も気まぐれな人間であるかの如き印象を強められるという利点がある。
【００１１】
また、好適には、前記採点手段による採点結果に応じて前記演奏曲のトラック数を変更するトラック数変更手段を含むものである。このようにすれば、採点結果を演奏曲の出力に反映させることで、前記採点を行う音楽再生装置が恰も気まぐれな人間であるかの如き印象を強められるという利点がある。
【００１２】
また、好適には、前記採点手段による採点結果に応じて前記演奏曲の音量を変更する音量変更手段を含むものである。このようにすれば、採点結果を演奏曲の出力に反映させることで、前記採点を行う音楽再生装置が恰も気まぐれな人間であるかの如き印象を強められるという利点がある。
【００１３】
また、好適には、前記演奏曲の出力に伴って表示される映像を前記採点手段による採点結果に応じて変更する映像変更手段を含むものである。このようにすれば、前記演奏曲の出力に伴って表示される映像に採点結果を反映させることで、前記採点を行う音楽再生装置が恰も気まぐれな人間であるかの如き印象を強められるという利点がある。
【００１４】
また、好適には、前記採点手段による採点結果に応じて前記演奏曲の演奏を中途で停止させる演奏停止手段を含むものである。このようにすれば、採点結果を演奏曲の出力に反映させることで、前記採点を行う音楽再生装置が恰も気まぐれな人間であるかの如き印象を強められるという利点がある。
【実施例】
【００１５】
以下、本発明の好適な実施例を図面に基づいて詳細に説明する。
【００１６】
図１は、本発明が適用された音楽再生装置の一例であるカラオケ装置１０の構成を示すブロック線図である。このカラオケ装置１０は、ＣＲＴ等の映像表示装置１２と、背景映像再生装置であるディスクプレーヤ１４と、ビデオミキサ１６と、アンプミキサ１８と、スピーカ２０と、音声入力装置であるマイク２２と、操作パネル２４と、中央演算処理装置であるＣＰＵ２６、ＲＯＭ２８、及びＲＡＭ３０と、記憶装置であるハードディスク３２と、モデム３４と、ＣＲＴコントローラ３６と、上記操作パネル２４等からの入力信号を処理する入出力インターフェイス３８と、演奏音を合成して出力するためのシンセサイザ４０と、Ａ／Ｄコンバータ４２とを、備えて構成されている。
【００１７】
上記ハードディスク３２には、演奏音を生成するための演奏情報及び歌詞文字映像（歌詞テロップ）を生成するための歌詞情報から成り選曲番号により識別されるカラオケ情報が記憶されている。また、上記カラオケ装置１０は、上記ＣＰＵ２６によりＲＡＭ３０の一時記憶機能を利用しつつ予めＲＯＭ２８に記憶された所定のプログラムに基づいて電子情報を処理・制御する所謂コンピュータシステムを備えており、上記カラオケ装置１０の利用者（ユーザ）により所定のカラオケ演奏曲が選曲された場合、上記ハードディスク３２からＲＡＭ３０へ選曲されたカラオケ演奏曲の演奏情報及び歌詞情報を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成してＣＲＴコントローラ３６へ送ったり、上記ディスクプレーヤ１４による背景映像の再生を制御する等の基本的な制御の他、後述する採点制御を実行する。
【００１８】
前記操作パネル２４は、利用者が歌いたいカラオケ演奏曲を選択したり、カラオケ演奏曲の音程やテンポを調整したり、演奏音と歌との音量バランスを調整したり、カラオケ演奏に付随する各種のモード設定を行ったり、その他、エコー、音量、トーン等の各種調整を行うための操作釦（スイッチ）或いはツマミを備えた入力操作装置である。また、前記カラオケ装置１０には、前記操作パネル２４の一部機能を遠隔で実行するために、その操作パネル２４と同様に入力操作装置として機能するリモコン４４が備えられている。
【００１９】
前記ディスクプレーヤ１４は、背景映像を記憶したＣＤやＤＶＤを再生する背景映像再生装置である。映像合成装置であるビデオミキサ１６は、前記ハードディスク３２から読み出された歌詞情報に基づいて前記ＣＰＵ２６において生成され且つ前記ＣＲＴコントローラ３６から出力される歌詞文字映像と、前記ディスクプレーヤ１４から送られる背景映像とを合成して前記映像表示装置１２に表示させる。
【００２０】
前記シンセサイザ４０は、前記ハードディスク３２から読み出された演奏情報に基づいて楽器の演奏音を生成する音源である。そのシンセサイザ４０により生成された音楽信号は、アナログ信号に変換されて前記アンプミキサ１８へ送られる。音楽合成装置であるアンプミキサ１８は、前記シンセサイザ４０から送られてくる演奏音と、前記マイク２２を介して入力される利用者の歌声とをミキシングし、それらの信号を電気的に増幅して前記スピーカ２０から出力させる。前記Ａ／Ｄコンバータ４２は、後述する採点制御のために、前記マイク２２から入力される利用者の音声をデジタル信号に変換して前記ＣＰＵ２６に供給する。
【００２１】
前記モデム３４は、前記ＣＰＵ２６を公衆電話回線、有線放送用ケーブル、又は光ファイバ等による通信回線４６に接続するための装置である。カラオケボックス等の店舗にそれぞれ備えられた前記カラオケ装置１０は、前記通信回線４６を介して図示しないカラオケサービス提供会社のホストサーバに接続されており、その通信回線４６を介して随時新曲のカラオケ情報等がホストサーバからダウンロードされ、前記ハードディスク３２の各種データベースに記憶されるようになっている。
【００２２】
図２は、前記カラオケ装置１０による採点機能の要部を説明する機能ブロック線図である。採点手段５０は、カラオケ演奏曲の出力に同期して入力される音声情報に応じて得点を採点する。具体的には、前記マイク２２により入力されて前記Ａ／Ｄコンバータ４２によりデジタル信号に変換された音声情報に関して、前記ハードディスク３２の曲データベースから読み出されて前記ＲＡＭ３０に記憶された演奏情報の音程及びテンポからの相対的なずれや、音量等に基づいて歌唱評価としての得点を算出する。この採点手段５０は、具体的な数値としての得点を算出するものであってもよいし、予め定められた複数の評価のうち何れかを採点結果として下すものであってもよい。
【００２３】
採点基準決定手段５２は、予め設定された複数の基準のうちから前記採点手段５０による採点の基準を少なくとも１つ無作為（ランダム）に決定する。好適には、予め設定された音程、テンポ、及び音量のうちから採点の基準を少なくとも１つ無作為に決定する。すなわち、「音程のみ」、「テンポのみ」、「音量のみ」、「音程及びテンポ」、「音程及び音量」、「テンポ及び音量」、及び「音程、テンポ、及び音量」の何れかを前記採点手段５０による採点の基準として決定する。
【００２４】
採点タイミング決定手段５４は、前記採点手段５０による採点のタイミングを無作為に決定する。すなわち、対象となるカラオケ演奏曲の演奏開始から終了までの間においてどの時点で採点を行うかを無作為に決定する。前記採点手段５０による採点が行われる場合、対象となるカラオケ演奏曲の演奏中に少なくとも１回の採点処理が実行されるが、カラオケ演奏曲の演奏開始から終了までの間における回数は予め定められた固定数であってもよいし、無作為に定められるものであってもよい。上記採点タイミング決定手段５４は、好適には、カラオケ演奏曲の演奏開始から終了までの間における前記採点手段５０による採点の回数及びタイミングを無作為に決定する。
【００２５】
採点結果反映手段５６は、前記採点手段５０による採点結果をカラオケ演奏曲の出力及びそのカラオケ演奏曲の出力に伴って表示される映像出力の少なくとも一方に反映させる。好適には、具体的な反映手段としてトラック数変更手段５８、音量変更手段６０、映像変更手段６２、及び演奏停止手段６４を含む。
【００２６】
トラック数変更手段５８は、前記採点手段５０による採点結果に応じて前記カラオケ演奏曲のトラック数を変更する。好適には、前記採点手段５０による採点結果が所定の得点（評価）以上である場合には、前記カラオケ演奏曲のトラック数を増加させ、採点結果が所定の得点未満である場合には、前記カラオケ演奏曲のトラック数を減少させる。一般にカラオケ演奏曲は、部分的な旋律である複数のトラックが重ね合わされて１纏まりの旋律を構成するものであり、そのトラック数が多いほど豪華な印象の旋律となる。
【００２７】
音量変更手段６０は、前記採点手段５０による採点結果に応じて前記カラオケ演奏曲の音量を変更する。好適には、前記採点手段５０による採点結果が所定の得点以上である場合には、前記カラオケ演奏曲の音量を大きくし、採点結果が所定の得点未満である場合には、前記カラオケ演奏曲の音量を小さくする。また、好適には、前記採点手段５０による採点結果に応じて前記マイク２２から入力された音声情報のアンプミキサ１８による増幅率を変更する。
【００２８】
映像変更手段６２は、前記採点手段５０による採点結果に応じて前記映像表示装置１２に表示される映像を変更する。好適には、前記採点手段５０による採点結果が所定の得点以上である場合には、前記映像表示装置１２に表示される映像の明度を上昇させ、採点結果が所定の得点未満である場合には、前記映像表示装置１２に表示される映像の明度を低下させる。また、好適には、前記採点手段５０による採点結果に応じて前記映像表示装置１２に表示される映像の輝度、彩度、及び色調等を変更したり、歌詞文字映像を読み難くするための付加映像を表示させる。
【００２９】
演奏停止手段６４は、前記採点手段５０による採点結果に応じて前記カラオケ演奏曲の演奏を中途で停止させる。好適には、前記採点手段５０による採点結果が所定の得点以上である場合には、前記カラオケ演奏曲の演奏を継続させ、採点結果が所定の得点未満である場合には、前記カラオケ演奏曲の演奏を中途で停止させる。
【００３０】
前記採点結果反映手段５６は、好適には、予め設定された複数の反映手段のうちから前記採点手段５０による採点結果を反映させる反映手段を少なくとも１つ無作為に決定する。すなわち、前記採点手段５０による採点結果を反映させる反映手段として前記トラック数変更手段５８、音量変更手段６０、映像変更手段６２、及び演奏停止手段６４のうち少なくとも１つを無作為に決定し、その反映手段により前記採点手段５０による採点結果をカラオケ演奏曲の出力及びそのカラオケ演奏曲の出力に伴って表示される映像出力の少なくとも一方に反映させる。これにより、図３に示すように、１回目の採点であるテンポを基準とする前記採点手段５０による採点結果が少しずれているものであった場合には、前記トラック数変更手段５８によりカラオケ演奏曲のベーストラックをオフにすると共に、前記音量変更手段６０によりカラオケ演奏曲の音量を小さくする一方、２回目の採点である音程を基準とする前記採点手段５０による採点結果が原曲と全く同じものであった場合には、前記トラック数変更手段５８によりカラオケ演奏曲にアレンジトラック１及びアレンジトラック２を追加し、前記映像変更手段６２により前記映像表示装置１２に表示される映像の明度を上昇させると共に、前記音量変更手段６０によりカラオケ演奏曲の音量を大きくするというように、前記採点手段５０による採点結果を毎回のように異なる態様で反映させることができる。
【００３１】
図４は、前記ＣＰＵ２６による採点制御を説明するフローチャートであり、所定の周期で繰り返し実行されるものである。先ず、ステップ（以下、ステップを省略する）Ｓ１において、カラオケ演奏が開始される。次に、前記採点タイミング決定手段５４に対応するＳ２において、採点のタイミングが無作為に決定される。次に、前記採点基準決定手段５２に対応するＳ３において、予め設定された音程、テンポ、及び音量等のうちからＳ２にて決定された各採点タイミングにおける採点の基準がそれぞれ少なくとも１つ無作為に決定される。次に、Ｓ４において、Ｓ２にて決定された採点タイミングであるか否かが判断される。このＳ４の判断が否定されるうちは、判断が繰り返されることにより待機させられるが、Ｓ４の判断が肯定される場合には、前記採点手段５０に対応するＳ５において、Ｓ３にて決定された基準によりカラオケ演奏曲の出力に伴って入力される音声情報に応じた採点処理が行われる。次に、Ｓ６において、Ｓ５の採点結果が第１の得点（評価）以上であるか否かが判断される。このＳ６の判断が否定される場合には、Ｓ７において、カラオケ演奏曲のトラック数を減少させる、音量を小さくする、映像の明るさを低下させる等のマイナス効果が反映された後、Ｓ１１において、Ｓ２にて決定された採点が全て終了したか否かが判断されるが、Ｓ６の判断が肯定される場合には、Ｓ８において、Ｓ５の採点結果が第１の得点よりも高い第２の得点以上であるか否かが判断される。このＳ８の判断が否定される場合には、Ｓ９において、カラオケ演奏曲のトラック数を増加させる、音量を大きくする、映像の明るさを上昇させる等のプラス効果が反映された後、Ｓ１１の判断が行われるが、Ｓ８の判断が肯定される場合には、Ｓ１０において、カラオケ演奏曲のトラック数を大幅に増加させる、音量を大幅に大きくする、映像の明るさを大幅に上昇させる等の大幅なプラス効果が反映された後、Ｓ１１の判断が行われる。このＳ１１の判断が否定される場合、すなわちＳ２にて決定された採点が全て終了してはいないと判断される場合には、Ｓ４以下の処理が再び実行されるが、Ｓ１１の判断が肯定される場合、すなわちＳ２にて決定された採点が全て終了したと判断される場合には、Ｓ１２において、カラオケ演奏終了であるか否かが判断される。このＳ１２の判断が否定されるうちは、判断が繰り返されることにより待機させられるが、Ｓ１２の判断が肯定される場合には、それをもって本ルーチンが終了させられる。以上の制御において、Ｓ７、Ｓ９、及びＳ１０が前記採点結果反映手段５６すなわちトラック数変更手段５８、音量変更手段６０、映像変更手段６２、及び演奏停止手段６４に対応する。
【００３２】
このように、本実施例によれば、前記カラオケ演奏曲の出力に伴って入力される音声情報に応じて得点を採点する採点手段５０（Ｓ５）と、予め設定された複数の基準のうちからその採点手段５０による採点の基準を少なくとも１つ無作為に決定する採点基準決定手段５２（Ｓ３）とを、含むことから、採点の基準が毎回のように異なるものとされ、斯かる採点を行うカラオケ装置１０が恰も気まぐれな人間であるかの如き印象を利用者に与えることができる。すなわち、利用者に一層の感興を催させるカラオケ装置１０を提供することができる。
【００３３】
また、前記採点基準決定手段５２は、音程、テンポ、及び音量のうちから前記採点手段５０による採点の基準を少なくとも１つ無作為に決定するものであるため、実用的な態様で利用者に一層の感興を催させる採点を行うことができるという利点がある。
【００３４】
また、前記採点手段５０による採点のタイミングを無作為に決定する採点タイミング決定手段５４（Ｓ２）を含むものであるため、採点のタイミングが毎回のように異なるものとされ、斯かる採点を行うカラオケ装置１０が恰も気まぐれな人間であるかの如き印象を強められるという利点がある。
【００３５】
また、前記採点手段５０による採点結果に応じて前記カラオケ演奏曲のトラック数を変更するトラック数変更手段５８（Ｓ７、Ｓ９、及びＳ１０）を含むものであるため、採点結果をカラオケ演奏曲の出力に反映させることで、前記採点を行うカラオケ装置１０が恰も気まぐれな人間であるかの如き印象を強められるという利点がある。
【００３６】
また、前記採点手段５０による採点結果に応じて前記カラオケ演奏曲の音量を変更する音量変更手段６０（Ｓ７、Ｓ９、及びＳ１０）を含むものであるため、採点結果をカラオケ演奏曲の出力に反映させることで、前記採点を行うカラオケ装置１０が恰も気まぐれな人間であるかの如き印象を強められるという利点がある。
【００３７】
また、前記カラオケ演奏曲の出力に伴って表示される映像を前記採点手段５０による採点結果に応じて変更する映像変更手段６２（Ｓ７、Ｓ９、及びＳ１０）を含むものであるため、前記カラオケ演奏曲の出力に伴って表示される映像に採点結果を反映させることで、前記採点を行うカラオケ装置１０が恰も気まぐれな人間であるかの如き印象を強められるという利点がある。
【００３８】
また、前記採点手段５０による採点結果に応じて前記カラオケ演奏曲の演奏を中途で停止させる演奏停止手段６４（Ｓ７、Ｓ９、及びＳ１０）を含むものであるため、採点結果をカラオケ演奏曲の出力に反映させることで、前記採点を行うカラオケ装置１０が恰も気まぐれな人間であるかの如き印象を強められるという利点がある。
【００３９】
以上、本発明の好適な実施例を図面に基づいて詳細に説明したが、本発明はこれに限定されるものではなく、更に別の態様においても実施される。
【００４０】
例えば、前述の実施例において、前記映像変更手段６２は、前記採点手段５０による採点結果に応じて前記映像表示装置１２に表示される映像の明度、輝度、彩度、及び色調等を変更したり、歌詞文字映像を読み難くするための付加映像を表示させるものであったが、本発明はこれに限定されるものではなく、例えば、図５に示すように、前記採点手段５０による採点結果に応じて前記映像表示装置１２に表示されるキャラクタの映像を変化させるものであってもよい。この態様では、カラオケ演奏が開始されると、図５（ａ）に示すようなキャラクタが前記映像表示装置１２に表示される。そして、前記採点手段５０による採点結果が所定の得点（評価）以上である場合には、図５（ｂ）に示すようにキャラクタの映像を機嫌良く歌唱を誉めるものに変化させる一方、前記採点手段５０による採点結果が所定の得点未満である場合には、図５（ｃ）に示すようにキャラクタの映像を機嫌悪く歌唱を貶すものに変化させる。このようにすれば、前記採点を行うカラオケ装置１０が恰も気まぐれな人間であるかの如き印象を強められるという利点がある。
【００４１】
また、前述の実施例において、前記採点結果反映手段５６は、前記採点手段５０により採点された数値としての得点を表示させることなくカラオケ演奏の出力及びそのカラオケ演奏曲の出力に伴って表示される映像出力の少なくとも一方に反映させるものであったが、それに加えて前記映像表示装置１２に採点された数値を示す文字映像を表示させるものであっても構わない。
【００４２】
また、前述の実施例では特に言及していないが、前記カラオケ装置１０は、そのカラオケ装置１０が設置された部屋の照明の明るさを制御する照明制御装置を備えたものであってもよい。この態様において、前記採点結果反映手段５６は、前記採点手段５０による採点結果に応じてその部屋の照明の明るさを変更する。
【００４３】
その他、一々例示はしないが、本発明はその趣旨を逸脱しない範囲内において種々の変更が加えられて実施されるものである。
【図面の簡単な説明】
【００４４】
【図１】本発明が適用された音楽再生装置の一例であるカラオケ装置の構成を示すブロック線図である。
【図２】図１のカラオケ装置による採点機能の要部を説明する機能ブロック線図である。
【図３】図１のカラオケ装置による採点処理及びその採点結果に応じた反映を具体的に示す図である。
【図４】図１のカラオケ装置による採点制御を説明するフローチャートである。
【図５】図１のカラオケ装置による採点結果の反映として映像表示装置に表示されるキャラクタ映像を例示する図であり、（ａ）はカラオケ演奏開始時に表示される映像、（ｂ）は採点結果が良好であった場合に反映として表示される映像、（ｂ）は採点結果が不良であった場合に反映として表示される映像をそれぞれ示している。
【符号の説明】
【００４５】
１０：カラオケ装置（音楽再生装置）
５０：採点手段
５２：採点基準決定手段
５４：採点タイミング決定手段
５８：トラック数変更手段
６０：音量変更手段
６２：映像変更手段
６４：演奏停止手段
【図１】
2005195852.tif 000003
【図２】
2005195852.tif 000004
【図３】
2005195852.tif 000005
【図４】
2005195852.tif 000006
【図５】
2005195852.tif 000007